(57)【特許請求の範囲】
【請求項１】
触覚フィードバックを提供可能なタッチパネルを備える電子書籍閲覧装置であって、
ユーザ操作を検出する検出手段と、
前記検出手段によって第１のユーザ操作が検出されると、第１のユーザ操作に基づいて、触覚フィードバックを提供するタッチパネル上の領域である触覚領域を決定する決定手段と、
前記決定手段によって決定された触覚領域において、書籍に触れた触覚をユーザに与える触覚フィードバックを提供する提供手段と、
前記提供手段によって触覚領域に触覚フィードバックが提供されている際に、当該触覚領域において前記検出手段によって第２のユーザ操作が検出されると、第２のユーザ操作に基づいた電子書籍の処理を実行する実行手段と、
を備え、
第１のユーザ操作は、タッチパネル上でユーザの２つの指を互いに近づける操作であり、
前記決定手段は、２つの指の間の領域を触覚領域として決定し、
前記提供手段は、２つの指の間に書籍の紙の触覚をユーザに与える触覚フィードバックを提供し、
第２のユーザ操作は、第１のユーザ操作における２つの指が、互いに接触して触覚領域から遠ざかる操作であり、
前記実行手段は、電子書籍を１頁めくる処理又は電子書籍の１頁を折る処理を実行する、
電子書籍閲覧装置。
【請求項２】
触覚フィードバックを提供可能なタッチパネルを備える電子書籍閲覧装置であって、
ユーザ操作を検出する検出手段と、
前記検出手段によって第１のユーザ操作が検出されると、第１のユーザ操作に基づいて、触覚フィードバックを提供するタッチパネル上の領域である触覚領域を決定する決定手段と、
前記決定手段によって決定された触覚領域において、書籍に触れた触覚をユーザに与える触覚フィードバックを提供する提供手段と、
前記提供手段によって触覚領域に触覚フィードバックが提供されている際に、当該触覚領域において前記検出手段によって第２のユーザ操作が検出されると、第２のユーザ操作に基づいた電子書籍の処理を実行する実行手段と、
を備え、
第１のユーザ操作は、ユーザから見てタッチパネル上側を手前方向に傾ける操作であり、
前記決定手段は、タッチパネル上側周辺の領域を触覚領域として決定し、
前記提供手段は、書籍の天における複数頁の触覚をユーザに与える触覚フィードバックを提供し、
第２のユーザ操作は、ユーザの２つの指が触覚領域内でつまむ操作であり、
前記実行手段は、電子書籍を複数頁まとめてめくる処理を実行する、
電子書籍閲覧装置。
【請求項３】
触覚フィードバックを提供可能なタッチパネルを備える電子書籍閲覧装置であって、
第１のユーザ操作とタッチパネル上の領域とを対応付けたユーザ操作対応表を格納する格納手段と、
ユーザ操作を検出する検出手段と、
前記検出手段によって第１のユーザ操作が検出されると、前記格納手段によって格納されたユーザ操作対応表において、検出された第１のユーザ操作に対応付けられたタッチパネル上の領域を、触覚フィードバックを提供するタッチパネル上の領域である触覚領域として決定する決定手段と、
前記決定手段によって決定された触覚領域において、書籍に触れた触覚をユーザに与える触覚フィードバックを提供する提供手段と、
前記提供手段によって触覚領域に触覚フィードバックが提供されている際に、当該触覚領域において前記検出手段によって第２のユーザ操作が検出されると、第２のユーザ操作に基づいた電子書籍の処理を実行する実行手段と、
を備える電子書籍閲覧装置。
【請求項４】
第１のユーザ操作は、タッチパネルの片側にユーザの指を接触し、圧力を与える操作であり、
前記決定手段は、第１のユーザ操作における指周辺の領域を触覚領域として決定し、
前記提供手段は、書籍の前小口における複数頁の触覚をユーザに与える触覚フィードバックを提供し、
第２のユーザ操作は、ユーザの指が触覚領域内を接触したまま移動する操作であり、
前記実行手段は、電子書籍を複数頁連続してめくる処理を実行する、
請求項３に記載の電子書籍閲覧装置。
【請求項５】
前記決定手段によって決定された触覚領域に、前記提供手段によって提供される触覚フィードバックに対応するユーザインタフェースを表示する表示手段をさらに備える、
請求項１〜４の何れか一項に記載の電子書籍閲覧装置。
【請求項６】
前記提供手段は、前記検出手段によって第２のユーザ操作が検出されると、第２のユーザ操作に対応する触覚フィードバックを触覚領域に提供する、
請求項１〜５の何れか一項に記載の電子書籍閲覧装置。
【請求項７】
触覚フィードバックを提供可能なタッチパネルとユーザ操作を検出する検出手段とを備える電子書籍閲覧装置により実行される電子書籍閲覧方法であって、
前記検出手段によって第１のユーザ操作が検出されると、第１のユーザ操作に基づいて、触覚フィードバックを提供するタッチパネル上の領域である触覚領域を決定する決定ステップと、
前記決定ステップにおいて決定された触覚領域において、書籍に触れた触覚をユーザに与える触覚フィードバックを提供する提供ステップと、
前記提供ステップにおいて触覚領域に触覚フィードバックが提供されている際に、当該触覚領域において前記検出手段によって第２のユーザ操作が検出されると、第２のユーザ操作に基づいた電子書籍の処理を実行する実行ステップと、
を含み、
第１のユーザ操作は、タッチパネル上でユーザの２つの指を互いに近づける操作であり、
前記決定ステップは、２つの指の間の領域を触覚領域として決定し、
前記提供ステップは、２つの指の間に書籍の紙の触覚をユーザに与える触覚フィードバックを提供し、
第２のユーザ操作は、第１のユーザ操作における２つの指が、互いに接触して触覚領域から遠ざかる操作であり、
前記実行ステップは、電子書籍を１頁めくる処理又は電子書籍の１頁を折る処理を実行する、
電子書籍閲覧方法。
【請求項８】
触覚フィードバックを提供可能なタッチパネルとユーザ操作を検出する検出手段とを備える電子書籍閲覧装置により実行される電子書籍閲覧方法であって、
前記検出手段によって第１のユーザ操作が検出されると、第１のユーザ操作に基づいて、触覚フィードバックを提供するタッチパネル上の領域である触覚領域を決定する決定ステップと、
前記決定ステップにおいて決定された触覚領域において、書籍に触れた触覚をユーザに与える触覚フィードバックを提供する提供ステップと、
前記提供ステップにおいて触覚領域に触覚フィードバックが提供されている際に、当該触覚領域において前記検出手段によって第２のユーザ操作が検出されると、第２のユーザ操作に基づいた電子書籍の処理を実行する実行ステップと、
を含み、
第１のユーザ操作は、ユーザから見てタッチパネル上側を手前方向に傾ける操作であり、
前記決定ステップは、タッチパネル上側周辺の領域を触覚領域として決定し、
前記提供ステップは、書籍の天における複数頁の触覚をユーザに与える触覚フィードバックを提供し、
第２のユーザ操作は、ユーザの２つの指が触覚領域内でつまむ操作であり、
前記実行ステップは、電子書籍を複数頁まとめてめくる処理を実行する、
電子書籍閲覧方法。
【請求項９】
触覚フィードバックを提供可能なタッチパネルと、第１のユーザ操作とタッチパネル上の領域とを対応付けたユーザ操作対応表を格納する格納手段と、ユーザ操作を検出する検出手段とを備える電子書籍閲覧装置により実行される電子書籍閲覧方法であって、
前記検出手段によって第１のユーザ操作が検出されると、前記格納手段によって格納されたユーザ操作対応表において、検出された第１のユーザ操作に対応付けられたタッチパネル上の領域を、触覚フィードバックを提供するタッチパネル上の領域である触覚領域として決定する決定ステップと、
前記決定ステップにおいて決定された触覚領域において、書籍に触れた触覚をユーザに与える触覚フィードバックを提供する提供ステップと、
前記提供ステップにおいて触覚領域に触覚フィードバックが提供されている際に、当該触覚領域において前記検出手段によって第２のユーザ操作が検出されると、第２のユーザ操作に基づいた電子書籍の処理を実行する実行ステップと、
を含む電子書籍閲覧方法。
【発明の詳細な説明】
【技術分野】
【０００１】
本発明は、電子書籍閲覧装置及び電子書籍閲覧方法に関する。
【背景技術】
【０００２】
従来、ディスプレイ画面上に電子書籍の頁を表示し、紙媒体の書籍の閲覧状態をシミュレートする電子書籍閲覧装置が知られている（例えば下記特許文献１）。
【先行技術文献】
【特許文献】
【０００３】
【特許文献１】特開２０１２−２５２６２０号公報
【発明の概要】
【発明が解決しようとする課題】
【０００４】
しかしながら、従来の電子書籍閲覧装置のユーザインタフェース（ＵＩ）は、装置（例えばスマートフォン）共通のＵＩの処理（スワイプ、タッチ、ピンチイン・アウト等）を使用するのみであり、実際に紙の書籍を読む際の動作・体験とはかけ離れているものであった。
【０００５】
そこで、本発明は、かかる課題に鑑みて為されたものであり、紙の書籍を読む際の読書感をユーザに提供することができる電子書籍閲覧装置及び電子書籍閲覧方法を提供することを目的とする。
【課題を解決するための手段】
【０００６】
上記課題を解決するため、本発明の電子書籍閲覧装置は、触覚フィードバックを提供可能なタッチパネルを備える電子書籍閲覧装置であって、ユーザ操作を検出する検出手段と、検出手段によって第１のユーザ操作が検出されると、第１のユーザ操作に基づいて、触覚フィードバックを提供するタッチパネル上の領域である触覚領域を決定する決定手段と、決定手段によって決定された触覚領域において、書籍に触れた触覚をユーザに与える触覚フィードバックを提供する提供手段と、提供手段によって触覚領域に触覚フィードバックが提供されている際に、当該触覚領域において検出手段によって第２のユーザ操作が検出されると、第２のユーザ操作に基づいた電子書籍の処理を実行する実行手段と、を備える。
【０００７】
このような電子書籍閲覧装置によれば、決定手段によって決定された触覚領域において、書籍に触れた触覚をユーザに与える触覚フィードバックが提供手段によって提供される。これにより、紙の書籍に触れた触覚をユーザに提供することができる。また、提供手段によって触覚領域に触覚フィードバックが提供されている際に、当該触覚領域において検出手段によって第２のユーザ操作が検出されると、第２のユーザ操作に基づいた電子書籍の処理が実行手段によって実行される。このように、紙の書籍に触れた触覚を受けているユーザが行った操作に基づいて電子書籍の処理が実行されるため、ユーザはまるで紙の書籍に対して行った操作により電子書籍を閲覧している感覚を味わうことができる。つまり、紙の書籍を読む際の読書感をユーザに提供することができる。
【０００８】
また、本発明の電子書籍閲覧装置において、第１のユーザ操作は、タッチパネル上でユーザの２つの指を互いに近づける操作であり、決定手段は、２つの指の間の領域を触覚領域として決定し、提供手段は、２つの指の間に書籍の紙の触覚をユーザに与える触覚フィードバックを提供し、第２のユーザ操作は、第１のユーザ操作における２つの指が、互いに接触して触覚領域から遠ざかる操作であり、実行手段は、電子書籍を１頁めくる処理又は電子書籍の１頁を折る処理を実行することが好ましい。かかる構成を採れば、ユーザはまるで紙の書籍に対して１頁つまんでめくる／折る感覚を味わうことができる。
【０００９】
また、本発明の電子書籍閲覧装置において、第１のユーザ操作は、タッチパネルの片側にユーザの指を接触し、圧力を与える操作であり、決定手段は、第１のユーザ操作における指周辺の領域を触覚領域として決定し、提供手段は、書籍の前小口における複数頁の触覚をユーザに与える触覚フィードバックを提供し、第２のユーザ操作は、ユーザの指が触覚領域内を接触したまま移動する操作であり、実行手段は、電子書籍を複数頁連続してめくる処理を実行することが好ましい。かかる構成を採れば、ユーザはまるで紙の書籍に対して片側に圧力を与え、前小口上で指を滑らすことで、複数頁を連続してめくる（はじく）感覚を味わうことができる。
【００１０】
また、本発明の電子書籍閲覧装置において、第１のユーザ操作は、ユーザから見てタッチパネル上側を手前方向に傾ける操作であり、決定手段は、タッチパネル上側周辺の領域を触覚領域として決定し、提供手段は、書籍の天における複数頁の触覚をユーザに与える触覚フィードバックを提供し、第２のユーザ操作は、ユーザの２つの指が触覚領域内でつまむ操作であり、実行手段は、電子書籍を複数頁まとめてめくる処理を実行することが好ましい。かかる構成を採れば、ユーザはまるで紙の書籍に対して天上で複数頁の厚みをつかみ、つかんだ複数頁をまとめてめくる（がばっとめくる）感覚を味わうことができる。
【００１１】
また、本発明の電子書籍閲覧装置において、決定手段によって決定された触覚領域に、提供手段によって提供される触覚フィードバックに対応するユーザインタフェースを表示する表示手段をさらに備えることが好ましい。かかる構成を採れば、ユーザは触覚だけでなく視覚的にも実際に紙の書籍を閲覧している感覚を味わうことができる。
【００１２】
また、本発明の電子書籍閲覧装置において、提供手段は、検出手段によって第２のユーザ操作が検出されると、第２のユーザ操作に対応する触覚フィードバックを触覚領域に提供することが好ましい。かかる構成を採れば、第２のユーザ操作に対しても書籍に触れた触覚が与えられるので、実際に紙の書籍を閲覧している感覚をより味わうことができる。
【００１３】
ところで、本発明は、上記のように電子書籍閲覧装置の発明として記述できる他に、以下のように電子書籍閲覧方法の発明としても記述することができる。これはカテゴリが異なるだけで、実質的に同一の発明であり、同様の作用及び効果を奏する。
【００１４】
即ち、本発明に係る電子書籍閲覧方法は、触覚フィードバックを提供可能なタッチパネルとユーザ操作を検出する検出手段とを備える電子書籍閲覧装置により実行される電子書籍閲覧方法であって、検出手段によって第１のユーザ操作が検出されると、第１のユーザ操作に基づいて、触覚フィードバックを提供するタッチパネル上の領域である触覚領域を決定する決定ステップと、決定ステップにおいて決定された触覚領域において、書籍に触れた触覚をユーザに与える触覚フィードバックを提供する提供ステップと、提供ステップにおいて触覚領域に触覚フィードバックが提供されている際に、当該触覚領域において検出手段によって第２のユーザ操作が検出されると、第２のユーザ操作に基づいた電子書籍の処理を実行する実行ステップと、を含む。
【発明の効果】
【００１５】
本発明によれば、紙の書籍を読む際の読書感をユーザに提供することができる。
【図面の簡単な説明】
【００１６】
【図１】本発明の実施形態に係る電子書籍閲覧装置の機能ブロック図である。
【図２】本発明の実施形態に係る電子書籍閲覧装置のハードウェア構成を示す図である。
【図３】ユーザ操作対応表のテーブル例を示す図である。
【図４】本発明の第１実施形態に係る電子書籍閲覧装置で実行される処理（電子書籍閲覧方法）を示すフローチャートである。
【図５】本発明の第１実施形態に係る電子書籍閲覧装置で実行される処理における第１場面を示した図である。
【図６】本発明の第１実施形態に係る電子書籍閲覧装置で実行される処理における第２場面（めくる）を示した図である。
【図７】本発明の第１実施形態に係る電子書籍閲覧装置で実行される処理における別の第２場面（折る）を示した図である。
【図８】本発明の第２実施形態に係る電子書籍閲覧装置で実行される処理（電子書籍閲覧方法）を示すフローチャートである。
【図９】本発明の第２実施形態に係る電子書籍閲覧装置で実行される処理における第１場面を示した図である。
【図１０】本発明の第２実施形態に係る電子書籍閲覧装置で実行される処理における第２場面を示した図である。
【図１１】本発明の第３実施形態に係る電子書籍閲覧装置で実行される処理（電子書籍閲覧方法）を示すフローチャートである。
【図１２】本発明の第３実施形態に係る電子書籍閲覧装置で実行される処理における第１場面を示した図である。
【図１３】本発明の第３実施形態に係る電子書籍閲覧装置で実行される処理における第２場面を示した図である。
【発明を実施するための形態】
【００１７】
以下、図面とともに本発明による電子書籍閲覧装置及び電子書籍閲覧方法の好適な実施形態について詳細に説明する。なお、図面の説明においては同一要素には同一符号を付し、重複する説明を省略する。
【００１８】
図１は、電子書籍閲覧装置１の機能ブロック図である。図１に示す通り、電子書籍閲覧装置１は、検出部１０（検出手段）、決定部１１（決定手段）、提供部１２（提供手段）、実行部１３（実行手段）、表示部１４（表示手段）、及びユーザ操作対応表格納部１５を含んで構成される。
【００１９】
電子書籍閲覧装置１は、ＣＰＵ等のハードウェアから構成されているものである。図２は、電子書籍閲覧装置１のハードウェア構成の一例を示す図である。図１に示される電子書籍閲覧装置１は、物理的には、図２に示すように、ＣＰＵ２０、主記憶装置であるＲＡＭ２１及びＲＯＭ２２、補助記憶装置２３、タッチパネル２４、触覚ＦＢモジュール２５、入出力機能を有する入出力装置２６、及び外部装置と通信を行うための通信モジュール２７等を含むコンピュータシステムとして構成されている。
【００２０】
タッチパネル２４は、ディスプレイとしての一般的な出力機能を提供すると共に、ユーザからの一般的なタッチ操作を入力する入力機能も提供する。タッチパネル２４はさらに、その表面上において触覚フィードバックをユーザに提供可能なように構成されている。ここで触覚フィードバックとは、ユーザの指とタッチパネル２４の接触部分の間に蓄積された静電気または磁力、空気圧、モーター等により、振動、摩擦を発生させることである。触覚フィードバックを提供されたユーザは、まるで実物の書籍の紙に触れているかのような疑似的な感覚・触覚を受ける。なお、触覚フィードバックは、書籍の紙に触れている感覚以外のその他の感覚を提供することも可能であるが、説明の便宜上、本実施形態では書籍の紙に触れている感覚のみを扱うものとする。
【００２１】
触覚ＦＢモジュール２５は、タッチパネル２４が提供する触覚フィードバックの生成元であるモジュールである。触覚ＦＢモジュール２５は、静電容量を蓄積し、タッチパネル２４上の所定の領域に蓄積した静電気を調整しながら送信することで、当該領域において所望の触覚フィードバックをユーザに提供する。例えば、触覚ＦＢモジュール２５は、後述の提供部１２からの指示に基づいて、蓄積した静電気をタッチパネル２４上の後述の触覚領域５０に調整しながら送信することで、触覚領域５０において所望の触覚フィードバックをユーザに提供する。
【００２２】
図１に示す電子書籍閲覧装置１の各機能ブロックの機能は、図２に示すＣＰＵ２０、ＲＡＭ２１等のハードウェア上に所定のコンピュータソフトウェアを読み込ませることにより、ＣＰＵ２０の制御のもとで補助記憶装置２３、タッチパネル２４、触覚ＦＢモジュール２５、入出力装置２６、及び通信モジュール２７を動作させるとともに、ＲＡＭ２１におけるデータの読み出し及び書き込みを行うことで実現される。
【００２３】
以下、図１に示す電子書籍閲覧装置１の各機能ブロックについて説明する。
【００２４】
検出部１０は、ユーザ操作を検出する。検出部１０が検出するユーザ操作の具体例としては、タッチパネル２４上のユーザのタッチ操作（スワイプ、タッチ、ピンチイン・アウト等の一般的なタッチ操作を含む）、タッチパネル２４近傍でのユーザ動作（ホバー検知に基づく）、タッチパネル２４上での圧力（圧力検知に基づく）、タッチパネル２４の曲率（曲率検知に基づく）、及び電子書籍閲覧装置１の傾き（傾き検知に基づく）等が挙げられる。検出部１０は、検出したユーザ操作に関する情報を、後述の決定部１１、提供部１２、実行部１３及び表示部１４に出力する。
【００２５】
決定部１１は、検出部１０によって第１のユーザ操作が検出されると、第１のユーザ操作に基づいて、触覚フィードバックを提供するタッチパネル２４上の領域である触覚領域５０を決定する。具体的には、決定部１１は、検出部１０から所定のユーザ操作（第１のユーザ操作）に関する情報である第１ユーザ操作情報が入力されると、後述のユーザ操作対応表格納部１５によって格納されたユーザ操作対応表を参照し、第１ユーザ操作情報に対応付けられた触覚領域場所に関する情報を取得する。そして、決定部１１は、取得した触覚領域場所に関する情報が示す領域を、触覚領域５０として決定する。決定部１１は、決定した触覚領域５０（に関する情報）を後述の提供部１２及び表示部１４に出力する。
【００２６】
提供部１２は、決定部１１によって決定された触覚領域５０において、書籍に触れた触覚をユーザに与える触覚フィードバックを提供する。具体的には、提供部１２は、決定部１１から触覚領域５０が入力されると、後述のユーザ操作対応表格納部１５によって格納されたユーザ操作対応表を参照し、検出部１０から入力された第１ユーザ操作情報（又は決定部１１から入力された触覚領域５０に対応する触覚領域場所に関する情報）に対応付けられた第１の触覚ＦＢ（フィードバック）に関する情報を取得する。そして、提供部１２は、取得した第１の触覚ＦＢに関する情報が示す触覚フィードバックをユーザに与えるよう、触覚ＦＢモジュール２５に指示する（指示情報を出力する）。提供部１２は、（第１の触覚ＦＢに基づく）触覚フィードバックを提供した旨の情報を後述の実行部１３及び表示部１４に出力する。
【００２７】
提供部１２は、検出部１０によって第２のユーザ操作が検出されると、第２のユーザ操作に対応する触覚フィードバックを触覚領域に提供してもよい。具体的には、提供部１２は、検出部１０から所定のユーザ操作（第１のユーザ操作とは異なる第２のユーザ操作）に関する情報である第２ユーザ操作情報が入力されると、後述のユーザ操作対応表格納部１５によって格納されたユーザ操作対応表を参照し、検出部１０から入力された第２ユーザ操作情報に対応付けられた第２の触覚ＦＢに関する情報を取得する。そして、提供部１２は、取得した第２の触覚ＦＢに関する情報が示す触覚フィードバックをユーザに与えるよう、触覚ＦＢモジュール２５に指示する（指示情報を出力する）。提供部１２は、（第２の触覚ＦＢに基づく）触覚フィードバックを提供した旨の情報を後述の実行部１３及び表示部１４に出力してもよい。
【００２８】
実行部１３は、提供部１２によって触覚領域５０に触覚フィードバックが提供されたている際（提供された後）に、当該触覚領域５０において検出部１０によって第２のユーザ操作が検出されると、第２のユーザ操作に基づいた電子書籍の処理（閲覧処理）を実行する。具体的には、実行部１３は、提供部１２から触覚フィードバックを提供した旨の情報が入力された際に、決定部１１によって決定された触覚領域５０において検出部１０によって第２のユーザ操作が検出されると、後述のユーザ操作対応表格納部１５によって格納されたユーザ操作対応表を参照し、検出部１０から入力された第２ユーザ操作情報（又は決定部１１から入力された触覚領域５０）に対応付けられた閲覧処理に関する情報を取得する。そして、実行部１３は、取得した閲覧処理に関する情報が示す閲覧処理を実行する。実行部１３は、閲覧処理の実行を開始した旨や終了した旨の情報を後述の表示部１４に出力する。
【００２９】
表示部１４は、決定部１１によって決定された触覚領域に、提供部１２によって提供される触覚フィードバックに対応するユーザインタフェース（ＵＩ）を表示する。具体的には、表示部１４は、提供部１２から第１の触覚ＦＢに基づく触覚フィードバックを提供した旨の情報が入力されると、後述のユーザ操作対応表格納部１５によって格納されたユーザ操作対応表を参照し、第１の触覚ＦＢ（又は検出部１０から入力された第１ユーザ操作情報）に対応付けられた第１のＵＩに関する情報を取得する。そして、表示部１４は、取得した第１のＵＩに関する情報が示すＵＩを、決定部１１から入力された触覚領域５０に表示する。また、表示部１４は、提供部１２から第２の触覚ＦＢに基づく触覚フィードバックを提供した旨の情報が入力されると、後述のユーザ操作対応表格納部１５によって格納されたユーザ操作対応表を参照し、第２の触覚ＦＢ（又は検出部１０から入力された第２ユーザ操作情報）に対応付けられた第２のＵＩに関する情報を取得する。そして、表示部１４は、取得した第２のＵＩに関する情報が示すＵＩを、決定部１１から入力された触覚領域５０に表示する。
【００３０】
ユーザ操作対応表格納部１５は、ユーザ操作対応表を電子書籍閲覧装置１のデータベース等に格納する。ユーザ操作対応表は、図３に示すテーブル例のように、第１のユーザ操作に関する情報、触覚領域場所に関する情報、第１の触覚ＦＢに関する情報、第１のＵＩに関する情報、第２のユーザ操作に関する情報、第２の触覚ＦＢに関する情報、第２のＵＩに関する情報、及び閲覧処理に関する情報を互いに対応付けている。
【００３１】
第１のユーザ操作に関する情報は、所定のユーザ操作を具体的に定めた情報である。触覚領域場所に関する情報は、当該情報に対応付いた第１のユーザ操作に関する情報が示す第１のユーザ操作が検出部１０によって検出されたときに、触覚領域５０を設定するタッチパネル２４上の場所を具体的に定めた情報である。第１の触覚ＦＢに関する情報は、当該情報に対応付いた第１のユーザ操作に関する情報が示す第１のユーザ操作が検出部１０によって検出されたときに、当該情報に対応付いた触覚領域場所に関する情報が示す触覚領域５０に提供する触覚フィードバックを具体的に定めた情報である。第１のＵＩに関する情報は、当該情報に対応付いた第１のユーザ操作に関する情報が示す第１のユーザ操作が検出部１０によって検出されたときに、当該情報に対応付いた触覚領域場所に関する情報が示す触覚領域５０又はタッチパネル２４全体に表示するＵＩを具体的に定めた情報である。
【００３２】
第２のユーザ操作に関する情報は、第１のユーザ操作とは異なる、第１のユーザ操作後に行われる所定のユーザ操作を具体的に定めた情報である。第２の触覚ＦＢに関する情報は、当該情報に対応付いた第２のユーザ操作に関する情報が示す第２のユーザ操作が検出部１０によって検出されたときに、当該情報に対応付いた触覚領域場所に関する情報が示す触覚領域５０に提供する触覚フィードバックを具体的に定めた情報である。第２のＵＩに関する情報は、当該情報に対応付いた第２のユーザ操作に関する情報が示す第２のユーザ操作が検出部１０によって検出されたときに、当該情報に対応付いた触覚領域場所に関する情報が示す触覚領域５０又はタッチパネル２４全体に表示するＵＩを具体的に定めた情報である。閲覧処理に関する情報は、当該情報に対応付いた第２のユーザ操作に関する情報が示す第２のユーザ操作が検出部１０によって検出されたときに、実行する電子書籍の閲覧処理（その他一般的な電子書籍の処理）を具体的に定めた情報である。
【００３３】
以降では、第１実施形態〜第３実施形態に係る電子書籍閲覧装置１について説明する。なお、図３に示すユーザ操作対応表のテーブル例のうち、第１行のレコードデータは第１実施形態で利用し、第２行のレコードデータは第２実施形態で利用し、第３行のレコードデータは第３実施形態で利用する。
【００３４】
［第１実施形態］
第１実施形態に係る電子書籍閲覧装置１では、電子書籍の１頁をめくる処理、及び１頁を折る処理を行う。第１実施形態に係る電子書籍閲覧装置１では、上述の各機能ブロックの説明において、第１のユーザ操作は、タッチパネル上でユーザの２つの指を互いに近づける操作であり、決定部１１は、２つの指の間の領域を触覚領域として決定し、提供部１２は、２つの指の間に書籍の紙の触覚をユーザに与える触覚フィードバックを提供し、第２のユーザ操作は、第１のユーザ操作における２つの指が、互いに接触して触覚領域から遠ざかる操作であり、実行部１３は、電子書籍を１頁めくる処理又は電子書籍の１頁を折る処理を実行する。
【００３５】
以下、図４〜７を用いて、第１実施形態に係る電子書籍閲覧装置１で実行される処理について説明する。図４は、第１実施形態に係る電子書籍閲覧装置１で実行される処理（電子書籍閲覧方法）を示すフローチャートである。
【００３６】
まず、検出部１０により、２つの指のタッチが検出され、２つの指がタッチされたタッチパネル２４上のそれぞれの座標が検出される（Ｓ１）。なお、Ｓ１の際に、表示部１４により、第１のＵＩ（紙がたわむ）が表示されてもよい。次に、決定部１１により、２つの指の座標間の距離が所定の距離（例えば１０ピクセル）未満であるか否かが判定される（Ｓ２）。Ｓ２にて所定の距離以上であると判定された場合、Ｓ１に戻る。
【００３７】
図５（ａ）は、図４におけるＳ１及びＳ２の場面を示すタッチパネル２４上を示す図である。図５（ａ）に示す通り、電子書籍閲覧装置１のタッチパネル２４上では、電子書籍３０の１２１頁及び１２２頁が開いて表示されている。そして、ユーザの手４０が、タッチパネル２４の左下、すなわち電子書籍３０の１２２頁の左下に位置し、手４０の親指と人差し指がタッチパネル２４にタッチ（接触）している。タッチしている親指と人差し指との座標間の距離４１が、図４におけるＳ２での判定対象である。距離４１が所定の距離未満になることは、手４０の親指と人差し指とで電子書籍３０の１２２頁をつまんでいることに対応する。
【００３８】
図４に戻り、Ｓ２にて所定の距離未満であると判定された場合、決定部１１により、触覚領域５０が決定される（Ｓ３）。次に、提供部１２により、Ｓ３にて決定された触覚領域５０に、紙の触覚フィードバックが提供される（Ｓ４）。
【００３９】
図５（ｂ）は、図４におけるＳ３（及びＳ４）の場面を示すタッチパネル２４上を示す図である。図５（ｂ）に示す通り、図４におけるＳ３にて、触覚領域５０が手４０の親指と人差し指との間に決定される。
【００４０】
図４に戻り、Ｓ４に続き、検出部１０により、２つの指が触覚領域５０から離れる（タッチパネル２４の面を水平方向（ｘ軸ｙ軸）としたときの垂直方向（ｚ軸））動きが検出される（Ｓ５）。なお、Ｓ５の際に、表示部１４により、第２のＵＩ（紙がめくられる）が表示されてもよい。次に、実行部１３により、２つの指と触覚領域５０との距離が所定の値（例えば２ｃｍ）以上であるか否かが判定される（Ｓ６）。
【００４１】
図６（ａ）は、図４におけるＳ５及びＳ６の場面を示すタッチパネル２４上を示す図である。図６（ａ）に示す、手４０の親指及び（又は）人差し指と、触覚領域５０との距離４２が、図４におけるＳ６での判定対象である。
【００４２】
図４に戻り、Ｓ６にて所定の値以上であると判定された場合、実行部１３により、電子書籍３０を１頁めくる処理が実行される（Ｓ７）。なお、Ｓ７の際に、表示部１４により、第２のＵＩ（紙がめくられる）が表示されてもよい。
【００４３】
図６（ｂ）は、図４におけるＳ７の場面を示すタッチパネル２４上を示す図である。図６（ｂ）に示す通り、電子書籍３０の１２２頁（参照符号３１）がめくられ、その奥の１２４頁が見えている。
【００４４】
図４に戻り、Ｓ６にて所定の値未満であると判定された場合、続いて、実行部１３により、２つの指が再び触覚領域５０にタッチしたか否かが判定される（Ｓ８）。
【００４５】
図７（ａ）は、図４におけるＳ８の場面（タッチした場面）を示すタッチパネル２４上を示す図である。図７（ａ）に示す通り、手４０の親指及び人差し指が再び触覚領域５０にタッチしている。
【００４６】
図４に戻り、Ｓ８にて、２つの指が再び触覚領域５０にタッチしたと判定された場合、実行部１３により、電子書籍３０を１頁折る処理が実行される（Ｓ９）。なお、Ｓ９の際に、表示部１４により、第２のＵＩ（紙が折られる）が表示されてもよい。Ｓ８にて、２つの指が再び触覚領域５０にタッチしていないと判定された場合、処理を終了する。
【００４７】
図７（ｂ）は、図４におけるＳ９の場面を示すタッチパネル２４上を示す図である。図７（ｂ）に示す通り、電子書籍３０の１２２頁（参照符号３２）が折られ、その奥の１２４頁が見えている。なお、電子書籍閲覧装置１は、ユーザによって頁が折られた後、表示中の頁に「よく見る頁」等のフラグ付けを行う機能（Ｄｏｇ  ｅａｒ機能）を提供してもよい。
【００４８】
［第２実施形態］
第２実施形態に係る電子書籍閲覧装置１では、電子書籍の複数頁を連続してめくる（はじく）処理を行う。第２実施形態に係る電子書籍閲覧装置１では、上述の各機能ブロックの説明において、第１のユーザ操作は、タッチパネルの片側にユーザの指を接触し、圧力を与える操作であり、決定部１１は、第１のユーザ操作における指周辺の領域を触覚領域５０として決定し、提供部１２は、電子書籍３０の前小口における複数頁の触覚をユーザに与える触覚フィードバックを提供し、第２のユーザ操作は、ユーザの指が触覚領域５０内を接触したまま移動する操作であり、実行部１３は、電子書籍３０を複数頁連続してめくる処理を実行する。
【００４９】
以下、図８〜１０を用いて、第２実施形態に係る電子書籍閲覧装置１で実行される処理について説明する。図８は、第２実施形態に係る電子書籍閲覧装置１で実行される処理（電子書籍閲覧方法）を示すフローチャートである。
【００５０】
まず、検出部１０により、指のタッチ及び圧力が検出される（Ｓ１０）。
【００５１】
図９（ａ）は、図８におけるＳ１０の場面を示すタッチパネル２４上を示す図である。図９（ａ）に示す通り、電子書籍閲覧装置１のタッチパネル２４の（ユーザから見て）右端にて、ユーザの手４０の親指がタッチされ、かつ親指で小圧力をかけている。より具体的には、ユーザは電子書籍閲覧装置１の両端をそれぞれ両手で持ち、右手の親指をタッチパネル２４の右端にタッチすると共に小圧力をかけることで、電子書籍閲覧装置１を曲げている。これにより、検出部１０は、電子書籍閲覧装置１の曲率が変化したことを感知（検出）する。
【００５２】
図８に戻り、Ｓ１０に続き、決定部１１により、触覚領域５０が決定される（Ｓ１１）。次に、提供部１２により、Ｓ１１にて決定された触覚領域５０に、電子書籍３０の前小口の複数頁の触覚フィードバックが提供される（Ｓ１２）。なお、Ｓ１２の際に、表示部１４により、第１のＵＩ（前小口における複数頁）が表示されてもよい。
【００５３】
図９（ｂ）は、図８におけるＳ１１及びＳ１２の場面を示すタッチパネル２４上を示す図である。図９（ｂ）に示す通り、図８におけるＳ１１にて、触覚領域５０が手４０の親指周辺に決定され、当該触覚領域５０に、前小口の複数頁が表示されている。
【００５４】
図８に戻り、Ｓ１２に続き、検出部１０により、指が触覚領域５０内を接触したまま移動したことが検出される（Ｓ１３）。次に、提供部１２により、Ｓ１１にて決定された触覚領域５０に、電子書籍３０の頁が掠める触覚フィードバックが提供される（Ｓ１４）。
【００５５】
図１０（ａ）は、図８におけるＳ１３（及びＳ１４）の場面を示すタッチパネル２４上を示す図である。図１０（ａ）に示す通り、図８におけるＳ１３にて、指が触覚領域５０内を接触したまま、ユーザから見て右方向に移動している。
【００５６】
図８に戻り、Ｓ１４に続き、実行部１３により、複数頁連続してめくる処理が実行される（Ｓ１５）。なお、Ｓ１５の際に、表示部１４により、第２のＵＩ（前小口において頁がパラパラめくられる）が表示されてもよい。
【００５７】
図１０（ｂ）は、図８におけるＳ１５の場面を示すタッチパネル２４上を示す図である。図１０（ｂ）に示す通り、電子書籍３０の１２１頁からの各頁がパラパラ連続してめくられ、１１５頁がめくられようとしている。
【００５８】
［第３実施形態］
第３実施形態に係る電子書籍閲覧装置１では、電子書籍の複数頁をまとめてめくる（がばっとめくる）処理を行う。第３実施形態に係る電子書籍閲覧装置１では、上述の各機能ブロックの説明において、第１のユーザ操作は、ユーザから見てタッチパネル２４上側を手前方向に傾ける操作であり、決定部１１は、タッチパネル２４上側周辺の領域を触覚領域５０として決定し、提供部１２は、電子書籍３０の天における複数頁の触覚をユーザに与える触覚フィードバックを提供し、第２のユーザ操作は、ユーザの２つの指が触覚領域５０内でつまむ操作であり、実行部１３、電子書籍３０を複数頁まとめてめくる処理を実行する。
【００５９】
以下、図１１〜１３を用いて、第３実施形態に係る電子書籍閲覧装置１で実行される処理について説明する。図１１は、第３実施形態に係る電子書籍閲覧装置１で実行される処理（電子書籍閲覧方法）を示すフローチャートである。
【００６０】
まず、検出部１０により、電子書籍閲覧装置１の傾きが検出される（Ｓ２０）。
【００６１】
図１２（ａ）は、図１１におけるＳ２０の場面を示すタッチパネル２４上を示す図である。図１２（ａ）に示す通り、電子書籍閲覧装置１のタッチパネル２４は、ユーザから見てタッチパネル２４上側を手前方向に傾けられている。
【００６２】
図１１に戻り、Ｓ２０に続き、決定部１１により、触覚領域５０が決定される（Ｓ２１）。次に、提供部１２により、Ｓ２１にて決定された触覚領域５０に、電子書籍３０の天の複数頁の触覚フィードバックが提供される（Ｓ２２）。なお、Ｓ２２の際に、表示部１４により、第１のＵＩ（天における複数頁）が表示されてもよい。
【００６３】
図１２（ｂ）は、図１１におけるＳ２１及びＳ２２の場面を示すタッチパネル２４上を示す図である。図１２（ｂ）に示す通り、図８におけるＳ２１にて、触覚領域５０がタッチパネル２４上側周辺に決定され、当該触覚領域５０に、天の複数頁が表示されている。
【００６４】
図１１に戻り、Ｓ２２に続き、検出部１０により、２つの指がつまむ操作が検出される（Ｓ２３）。次に、提供部１２により、Ｓ２１にて決定された触覚領域５０に、電子書籍３０の複数頁をつまむ触覚フィードバックが提供される（Ｓ２４）。
【００６５】
図１３（ａ）は、図１１におけるＳ２３（及びＳ２４）の場面を示すタッチパネル２４上を示す図である。図１３（ａ）に示す通り、ユーザの手４０の親指と人差し指とが電子書籍３０の天の複数頁のうち一部をつまんでいる。
【００６６】
図１１に戻り、Ｓ２４に続き、実行部１３により、複数頁まとめてめくる処理が実行される（Ｓ２５）。なお、Ｓ２５の際に、表示部１４により、第２のＵＩ（天において複数頁をつまんでいる）が表示されてもよい。
【００６７】
図１３（ｂ）は、図１１におけるＳ２５の場面を示すタッチパネル２４上を示す図である。図１３（ｂ）に示す通り、電子書籍３０の１２１頁から１１４頁まで（参照符号３４）がまとめてめくられ、１１３頁がめくられようとしている。
【００６８】
次に、本実施形態のように構成された電子書籍閲覧装置１の作用効果について説明する。
【００６９】
本実施形態の電子書籍閲覧装置１によれば、決定部１１によって決定された触覚領域５０において、書籍に触れた触覚をユーザに与える触覚フィードバックが提供部１２によって提供される。これにより、紙の書籍に触れた触覚をユーザに提供することができる。また、提供部１２によって触覚領域５０に触覚フィードバックが提供されている際に、当該触覚領域５０において検出部１０によって第２のユーザ操作が検出されると、第２のユーザ操作に基づいた電子書籍の処理が実行部１３によって実行される。このように、紙の書籍に触れた触覚を受けているユーザが行った操作に基づいて電子書籍の処理が実行されるため、ユーザはまるで紙の書籍に対して行った操作により電子書籍を閲覧している感覚を味わうことができる。つまり、紙の書籍を読む際の読書感をユーザに提供することができる。
【００７０】
また、第１実施形態の電子書籍閲覧装置１によれば、ユーザはまるで紙の書籍に対して１頁つまんでめくる／折る感覚を味わうことができる。
【００７１】
また、第２実施形態の電子書籍閲覧装置１によれば、ユーザはまるで紙の書籍に対して片側に圧力を与え、前小口上で指を滑らすことで、複数頁を連続してめくる（はじく）感覚を味わうことができる。
【００７２】
また、第３実施形態、ユーザはまるで紙の書籍に対して天上で複数頁の厚みをつかみ、つかんだ複数頁をまとめてめくる（がばっとめくる）感覚を味わうことができる。
【００７３】
また、本実施形態の電子書籍閲覧装置１によれば、ユーザは触覚だけでなく視覚的にも実際に紙の書籍を閲覧している感覚を味わうことができる。
【００７４】
また、本実施形態の電子書籍閲覧装置１によれば、第２のユーザ操作に対しても書籍に触れた触覚が与えられるので、実際に紙の書籍を閲覧している感覚をより味わうことができる。
【００７５】
以上の通り、本実施形態の電子書籍閲覧装置１によれば、電子書籍閲覧装置１上で紙の本を読むのと同じ動作を用いて電子媒体を閲覧可能なＵＩ、および紙の本における読書感と等価の体験を提供することができる。
【符号の説明】
【００７６】
１…電子書籍閲覧装置、１０…検出部、１１…決定部、１２…提供部、１３…実行部、１４…表示部、１５…ユーザ操作対応表格納部、２０…ＣＰＵ、２１…ＲＡＭ、２２…ＲＯＭ、２３…補助記憶装置、２４…タッチパネル、２５…触覚ＦＢモジュール、２６…入出力装置、２７…通信モジュール、３０…電子書籍、４０…手、５０…触覚領域。
【図１】
0006283280.tif 000002
【図２】
0006283280.tif 000003
【図３】
0006283280.tif 000004
【図４】
0006283280.tif 000005
【図５】
0006283280.tif 000006
【図６】
0006283280.tif 000007
【図７】
0006283280.tif 000008
【図８】
0006283280.tif 000009
【図９】
0006283280.tif 000010
【図１０】
0006283280.tif 000011
【図１１】
0006283280.tif 000012
【図１２】
0006283280.tif 000013
【図１３】
0006283280.tif 000014